Podtech/llm-jp-corpus-v4-ja_patent huggingface dataset:
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
所定の遊技を行う遊技機であって、
遊技者にとって有利な有利状態とするか否かを決定する決定手段と、
前記決定手段の決定結果に基づいて、前記遊技中に特別演出を実行する特別演出実行手段と、
前記特別演出の実行中に、前記有利状態となる可能性である信頼度を示唆する示唆演出を実行する示唆演出実行手段とを備え、
前記示唆演出実行手段は、前記特別演出の実行中に前記示唆演出の態様を変化させることにより、前記示唆演出で示唆される前記信頼度を変化させる示唆態様変化手段を含む
ことを特徴とする遊技機。
【手続補正２】
【補正対象書類名】明細書
【補正対象項目名】００１０
【補正方法】変更
【補正の内容】
【００１０】
（１）上記目的を達成するため、本発明に係る遊技機は、
所定の遊技を行う遊技機（例えば、パチンコ遊技機１）であって、
遊技者にとって有利な有利状態（例えば、大当り状態）とするか否かを決定する決定手段（遊技制御用マイクロコンピュータ５６０において、ステップＳ６１の処理を実行する部分）と、
前記決定手段の決定結果に基づいて、前記遊技中に特別演出（例えば、リーチ演出）を実行する特別演出実行手段（例えば、演出制御用マイクロコンピュータ１００において、ステップＳ８３１〜Ｓ８３３，Ｓ８４１〜Ｓ８４３の処理を実行する部分）と、
前記特別演出の実行中に、前記有利状態となる可能性である信頼度を示唆する示唆演出を実行する示唆演出実行手段（例えば、演出制御用マイクロコンピュータ１００において、ステップＳ８３１〜Ｓ８３３の処理を実行することにより、図４１〜図４３に示す示唆演出を実行する部分）とを備え、
前記示唆演出実行手段は、前記特別演出の実行中に前記示唆演出の態様を変化させることにより、前記示唆演出で示唆される前記信頼度を変化させる示唆態様変化手段（例えば、演出制御用マイクロコンピュータ１００において、ステップＳ８４１〜Ｓ８４３の処理を実行することにより、図４３（Ｒ）に示すように、示唆演出で表示される星印を増加させる部分）を含む
ことを特徴とする。
【手続補正３】
【補正対象書類名】明細書
【補正対象項目名】００１２
【補正方法】変更
【補正の内容】
【００１２】
（２）上記（１）の遊技機において、
前記示唆演出実行手段は、示唆情報（例えば、星印）の数により前記信頼度を示唆し、
前記示唆態様変化手段は、前記示唆情報の数を更新することにより、前記示唆演出で示唆される前記信頼度を変化させる
ことを特徴とする。
【手続補正４】
【補正対象書類名】明細書
【補正対象項目名】００１４
【補正方法】変更
【補正の内容】
【００１４】
（３）上記（１）又は（２）の遊技機において、
前記特別演出実行手段は、前記特別演出において、前記示唆演出で示唆される前記信頼度が変化することを示唆する演出（例えば、図４３（Ｑ）に示すキャラクタｇが登場する演出）を行う
ことを特徴とする。
【手続補正５】
【補正対象書類名】明細書
【補正対象項目名】００１６
【補正方法】変更
【補正の内容】
【００１６】
（４）上記（１）乃至（３）のいずれかの遊技機において、
前記示唆態様変化手段は、前記特別演出の実行中の複数タイミング（例えば、第１タイミング、第２タイミング）のいずれかで、前記示唆演出の態様を変化させることにより、前記示唆演出で示唆される前記信頼度を変化させる
ことを特徴とする。
【手続補正６】
【補正対象書類名】明細書
【補正対象項目名】００１８
【補正方法】変更
【補正の内容】
【００１８】
（５）上記（１）乃至（４）のいずれかの遊技機において、
前記示唆演出実行手段は、前記決定手段によって前記有利状態とすると決定されたことを条件に、前記信頼度を示唆する前記示唆演出の態様を特定態様（例えば、星印を３個）とする
ことを特徴とする。
【手続補正７】
【補正対象書類名】明細書
【補正対象項目名】００１９
【補正方法】変更
【補正の内容】
【００１９】
このような構成によれば、有利状態となるときにのみ、信頼度を示唆する態様が特定態様となるため、信頼度を示唆する態様に、より注目させることができる。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
光源から発せられた光を被検眼上で走査するための光スキャナと、光源から発せられた測定光と参照光との干渉信号を検出する検出器と、を有し、被検眼の断層像を得るための干渉光学系と、
被検眼の正面像を取得する観察光学系と、
を備える眼科撮影装置であって、
前記正面像上において設定された被検眼上の異なる複数の横断位置にて、前記光スキャナを制御して、測定光を走査し、各横断位置にて前記干渉信号を取得する制御手段と、
前記制御手段によって取得された各横断位置における前記干渉信号に基づいて生成される画像をモニタ上に表示する表示制御手段と、
前記モニタ上の前記画像に対して、操作部からの操作信号に基づいて、少なくとも１つ以上の再撮影用横断位置を設定する再撮影設定手段と、を備え、
前記制御手段は、前記再撮影設定手段によって設定された前記再撮影用横断位置にて測定光を走査し前記干渉信号を取得することを特徴とする眼科撮影装置。
【請求項２】
請求項１の眼科撮影装置において、
前記制御手段は、異なる複数の横断位置にて前記干渉信号を取得する際に前記観察光学系によって取得した被検眼の第１正面像と、前記再撮影設定手段によって設定された前記再撮影用横断位置にて前記干渉信号を取得する際に前記観察光学系によって取得した第２正面像と、の位置ずれを画像処理により検出し、検出結果に基づいて前記光スキャナの駆動を制御し、該再撮影設定手段によって設定された前記再撮影用横断位置にて前記干渉信号を取得することを特徴とする眼科撮影装置。
【請求項３】
請求項１又は２の眼科撮影装置において、
再撮影前に前記モニタ上の画像に対して前記操作部からの操作信号に基づいて選択された横断位置の前記干渉信号と、前記再撮影設定手段によって設定された前記再撮影用横断位置にて前記制御手段によって取得された前記干渉信号と、を置き換える、又は、再撮影前に該モニタ上の画像に対して該操作部からの操作信号に基づいて選択された横断位置の該干渉信号と、該再撮影設定手段によって設定された該再撮影用横断位置にて該制御手段によって取得された該干渉信号と、を加算平均処理することを特徴とする眼科撮影装置。
【請求項４】
光源から発せられた光を被検眼上で走査するための光スキャナと、光源から発せられた測定光と参照光との干渉信号を検出する検出器と、を有し、被検眼の断層像を得るための干渉光学系と、
被検眼の正面像を取得する観察光学系と、
を備える眼科撮影装置の動作を制御する制御装置において実行される眼科撮影プログラムであって、
前記制御装置のプロセッサによって実行されることで、
前記観察光学系によって取得された前記正面像上において設定された被検眼上の異なる複数の横断位置にて、前記光スキャナを制御して、測定光を走査し、各横断位置にて前記干渉信号を取得する制御ステップと、
前記制御ステップによって取得された異なる複数の横断位置における前記干渉信号に基づいて生成される画像をモニタ上に表示する表示制御ステップと、
前記モニタ上の前記画像に対して、操作部からの操作信号に基づいて、少なくとも１つ以上の再撮影用横断位置を設定する再撮影設定ステップと、
前記再撮影設定ステップによって設定された前記再撮影用横断位置にて測定光を走査し、前記干渉信号を再取得する再撮影制御ステップと、
を前記制御装置に実行させることを特徴とする眼科撮影プログラム。
【手続補正２】
【補正対象書類名】明細書
【補正対象項目名】０００８
【補正方法】変更
【補正の内容】
【０００８】
（１）  光源から発せられた光を被検眼上で走査するための光スキャナと、光源から発せられた測定光と参照光との干渉信号を検出する検出器と、を有し、被検眼の断層像を得るための干渉光学系と、被検眼の正面像を取得する観察光学系と、を備える眼科撮影装置であって、前記正面像上において設定された被検眼上の異なる複数の横断位置にて、前記光スキャナを制御して、測定光を走査し、各横断位置にて前記干渉信号を取得する制御手段と、前記制御手段によって取得された各横断位置における前記干渉信号に基づいて生成される画像をモニタ上に表示する表示制御手段と、前記モニタ上の前記画像に対して、操作部からの操作信号に基づいて、少なくとも１つ以上の再撮影用横断位置を設定する再撮影設定手段と、を備え、前記制御手段は、前記再撮影設定手段によって設定された前記再撮影用横断位置にて測定光を走査し前記干渉信号を取得することを特徴とする。
（２）  （１）の眼科撮影装置において、前記制御手段は、異なる複数の横断位置にて前記干渉信号を取得する際に前記観察光学系によって取得した被検眼の第１正面像と、前記再撮影設定手段によって設定された前記再撮影用横断位置にて前記干渉信号を取得する際に前記観察光学系によって取得した第２正面像と、の位置ずれを画像処理により検出し、検出結果に基づいて前記光スキャナの駆動を制御し、該再撮影設定手段によって設定された前記再撮影用横断位置にて前記干渉信号を取得することを特徴とする。
（３）  （１）又は（２）の眼科撮影装置において、再撮影前に前記モニタ上の画像に対して前記操作部からの操作信号に基づいて選択された横断位置の前記干渉信号と、前記再撮影設定手段によって設定された前記再撮影用横断位置にて前記制御手段によって取得された前記干渉信号と、を置き換える、又は、再撮影前に該モニタ上の画像に対して該操作部からの操作信号に基づいて選択された横断位置の該干渉信号と、該再撮影設定手段によって設定された該再撮影用横断位置にて該制御手段によって取得された該干渉信号と、を加算平均処理することを特徴とする。
（４）  光源から発せられた光を被検眼上で走査するための光スキャナと、光源から発せられた測定光と参照光との干渉信号を検出する検出器と、を有し、被検眼の断層像を得るための干渉光学系と、被検眼の正面像を取得する観察光学系と、を備える眼科撮影装置の動作を制御する制御装置において実行される眼科撮影プログラムであって、前記制御装置のプロセッサによって実行されることで、前記観察光学系によって取得された前記正面像上において設定された被検眼上の異なる複数の横断位置にて、前記光スキャナを制御して、測定光を走査し、各横断位置にて前記干渉信号を取得する制御ステップと、前記制御ステップによって取得された異なる複数の横断位置における前記干渉信号に基づいて生成される画像をモニタ上に表示する表示制御ステップと、前記モニタ上の前記画像に対して、操作部からの操作信号に基づいて、少なくとも１つ以上の再撮影用横断位置を設定する再撮影設定ステップと、前記再撮影設定ステップによって設定された前記再撮影用横断位置にて測定光を走査し、前記干渉信号を再取得する再撮影制御ステップと、を前記制御装置に実行させることを特徴とする。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
眼科用光干渉断層計によって異なる日に取得された被検眼の断層画像の解析結果を得て、前記解析結果の時系列データを出力するための眼科解析装置であって、
被検者の眼疾患に係るイベントの発生時間及び前記イベントの名称の入力を受け付けるイベント受付手段と、
前記イベント受付手段によって受け付けられた前記発生時間に対応する位置に前記イベントの発生を示す情報を付加し、
前記イベントの発生を示す情報が付加された前記時系列データと、前記イベント情報受付手段によって受け付けられた前記イベントの名称と、を含む画像データを出力する制御手段と、を備える眼科解析装置。
【請求項２】
前記制御手段は、
前記イベント受付手段によって受け付けられた前記発生時間を基準として、前記発生時間より前の前記時系列データを回帰分析する第１の回帰分析を行うと共に、前記イベント発生時間より後の前記時系列データを回帰分析する第２の回帰分析を行い、
前記第１の回帰分析による第１トレンドグラフと、前記第２の回帰分析による第２トレンドグラフとを含むトレンドグラフを出力する請求項１の眼科解析装置。
【請求項３】
前記制御手段は、前記解析結果の眼底上の位置を示す位置情報を前記時系列グラフと共に出力する請求項１〜２のいずれかの眼科解析装置。
【請求項４】
眼科用光干渉断層計によって異なる日に取得された被検眼の断層画像の解析結果を得て、前記解析結果の時系列データを出力するための眼科解析装置において実行される眼科解析プログラムであって、
前記眼科解析装置のプロセッサによって実行されることで、
被検者の眼疾患に係るイベントの発生時間及び前記イベントの名称の入力を受け付けるイベント受付ステップと、
前記イベント受付ステップによって受け付けられた前記発生時間に対応する位置に前記イベントの発生を示す情報を付加し、
前記イベントの発生を示す情報が付加された前記時系列データと、前記イベント受付ステップによって受け付けられた前記イベントの名称と、を含む画像データを出力先に出力する画像データ出力ステップと、
を前記眼科解析装置に実行させることを特徴とする眼科解析プログラム。
【手続補正２】
【補正対象書類名】明細書
【補正対象項目名】０００８
【補正方法】変更
【補正の内容】
【０００８】
（１）  眼科用光干渉断層計によって異なる日に取得された被検眼の断層画像の解析結果を得て、前記解析結果の時系列データを出力するための眼科解析装置であって、
被検者の眼疾患に係るイベントの発生時間及び前記イベントの名称の入力を受け付けるイベント受付手段と、
前記イベント受付手段によって受け付けられた前記発生時間に対応する位置に前記イベントの発生を示す情報を付加し、
前記イベントの発生を示す情報が付加された前記時系列データと、前記イベント情報受付手段によって受け付けられた前記イベントの名称と、を含む画像データを出力する制御手段と、を備える。
（２）  
眼科用光干渉断層計によって異なる日に取得された被検眼の断層画像の解析結果を得て、前記解析結果の時系列データを出力するための眼科解析装置において実行される眼科解析プログラムであって、
前記眼科解析装置のプロセッサによって実行されることで、
被検者の眼疾患に係るイベントの発生時間及び前記イベントの名称の入力を受け付けるイベント受付ステップと、
前記イベント受付ステップによって受け付けられた前記発生時間に対応する位置に前記イベントの発生を示す情報を付加し、
前記イベントの発生を示す情報が付加された前記時系列データと、前記イベント受付ステップによって受け付けられた前記イベントの名称と、を含む画像データを出力先に出力する画像データ出力ステップと、
を前記眼科解析装置に実行させることを特徴とする。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
眼科用光干渉断層計によって異なる日に取得された被検眼の断層画像の解析結果を得て、前記解析結果の時系列データを出力するための眼科解析装置であって、
被検眼上における解析領域を選択するための検者からの選択指示を受け付ける指示受付手段と、
前記指示受付手段によって選択された前記解析領域での解析結果を、前記異なる日に取得された断層画像に関してそれぞれ取得し、前記解析結果の時系列データを出力する制御手段と、
を備える眼科解析装置。
【請求項２】
前記指示受付手段は、表示手段の表示画面に出力された前記断層画像上における一次元領域又は二次元領域を選択するための検者からの選択指示を受け付け、
前記制御手段は、選択された前記一次元領域又は二次元領域における少なくとも一つの解析結果を取得する請求項１の眼科解析装置。
【請求項３】
前記指示受付手段は、
予め設定されたセクション毎に解析結果の基本統計量を示す解析チャートによって分割された少なくとも一つのセクションを選択するための検者からの選択指示を受け付ける請求項１又は２のいずれかの眼科解析装置。
【請求項４】
眼科用光干渉断層計によって異なる日に取得された被検眼の断層画像の解析結果を得て、前記解析結果の時系列データを出力するための眼科解析装置において実行される眼科解析プログラムであって、
前記眼科解析装置のプロセッサによって実行されることで、
被検眼上における解析領域を選択するための検者からの選択指示を受け付ける指示受付ステップと、
指示受付ステップにおいて選択された前記解析領域での解析結果を、前記異なる日に取得された断層画像に関してそれぞれ取得し、前記解析結果の時系列データを出力先に出力する出力ステップと、
を前記眼科解析装置に実行させることを特徴とする眼科解析プログラム。
【手続補正２】
【補正対象書類名】明細書
【補正対象項目名】０００７
【補正方法】変更
【補正の内容】
【０００７】
（１）  眼科用光干渉断層計によって異なる日に取得された被検眼の断層画像の解析結果を得て、前記解析結果の時系列データを出力するための眼科解析装置であって、
被検眼上における解析領域を選択するための検者からの選択指示を受け付ける指示受付手段と、
前記指示受付手段によって選択された前記解析領域での解析結果を、前記異なる日に取得された断層画像に関してそれぞれ取得し、前記解析結果の時系列データを出力する制御手段と、
を備える。
（２）
眼科用光干渉断層計によって異なる日に取得された被検眼の断層画像の解析結果を得て、前記解析結果の時系列データを出力するための眼科解析装置において実行される眼科解析プログラムであって、
前記眼科解析装置のプロセッサによって実行されることで、
被検眼上における解析領域を選択するための検者からの選択指示を受け付ける指示受付ステップと、
指示受付ステップにおいて選択された前記解析領域での解析結果を、前記異なる日に取得された断層画像に関してそれぞれ取得し、前記解析結果の時系列データを出力先に出力する出力ステップと、
を前記眼科解析装置に実行させることを特徴とする。
【手続補正書】
【提出日】平成27年10月7日(2015.10.7)
【手続補正１】
【補正対象書類名】明細書
【補正対象項目名】０００８
【補正方法】変更
【補正の内容】
【０００８】
（１）本発明に係る砥粒付ワイヤ工具は、ワイヤと、該ワイヤの外周表面を被覆する絶縁層の複数個所に設けられた通電孔に通電孔めっきによって固定された複数の砥粒または集積固定された砥粒と、を有し、前記砥粒の直径は、前記通電孔の直径の１／２よりも小さく、前記通電孔が、同一線上に互いに隙間を空けて配置されていたことを特徴とする。
（２）前記（１）において、前記絶縁層が撤去されていることを特徴とする。
（３）前記（２）において、前記砥粒の表面と、前記通電孔めっきの表面と、前記砥粒の表面および前記通電孔めっきの表面を除く前記ワイヤの外周表面とが、表面全体めっきによって覆われていることを特徴とする。
【手続補正２】
【補正対象書類名】明細書
【補正対象項目名】０００９
【補正方法】変更
【補正の内容】
【０００９】
（４）外周表面が下地めっきによって被覆されたワイヤと、該ワイヤの下地めっきの表面を被覆する絶縁層の複数個所に設けられた通電孔に通電孔めっきによって固定された複数の砥粒または集積固定された砥粒と、を有し、前記砥粒の直径は、前記通電孔の直径の１／２よりも小さく、前記通電孔が、同一線上に互いに隙間を空けて配置されていたことを特徴とする。
（５）前記（４）において、前記絶縁層が撤去されていることを特徴とする。
（６）前記（５）において、前記砥粒の表面と、前記通電孔めっきの表面と、前記砥粒の表面および前記通電孔めっきの表面を除く前記ワイヤの下地めっきの表面とが、表面全体めっきによって覆われていることを特徴とする。
【手続補正３】
【補正対象書類名】明細書
【補正対象項目名】００１１
【補正方法】変更
【補正の内容】
【００１１】
（１０）前記（１）乃至（９）の何れかにおいて、前記通電孔が、前記ワイヤの外周表面に１条または複数条の螺旋曲線の上に配置されていることを特徴とする。
（１１）前記（１）乃至（１０）の何れかにおいて、前記通電孔が、前記ワイヤの長手方向に平行な直線上であって、前記ワイヤの円周方向で等角配置されていることを特徴とする。
（１２）前記（１）乃至（１１）の何れかにおいて、前記砥粒の外周表面は、前記通電孔に固定される前に、予め砥粒の表面を通電できる材質になるよう処理されていることを特徴とする。
【手続補正４】
【補正対象書類名】特許請求の範囲
【補正対象項目名】全文
【補正方法】変更
【補正の内容】
【特許請求の範囲】
【請求項１】
ワイヤと、該ワイヤの外周表面を被覆する絶縁層の複数個所に設けられた通電孔に通電孔めっきによって固定された複数の砥粒または集積固定された砥粒と、を有し、
前記砥粒の直径は、
前記通電孔の直径の１／２よりも小さく、前記通電孔が、同一線上に互いに隙間を空けて配置されていたことを特徴とする砥粒付ワイヤ工具。
【請求項２】
前記絶縁層が撤去されていることを特徴とする請求項１記載の砥粒付ワイヤ工具。
【請求項３】
前記砥粒の表面と、前記通電孔めっきの表面と、前記砥粒の表面および前記通電孔めっきの表面を除く前記ワイヤの外周表面とが、表面全体めっきによって覆われていることを特徴とする請求項２記載の砥粒付ワイヤ工具。
【請求項４】
外周表面が下地めっきによって被覆されたワイヤと、該ワイヤの下地めっきの表面を被覆する絶縁層の複数個所に設けられた通電孔に通電孔めっきによって固定された複数の砥粒または集積固定された砥粒と、を有し、
前記砥粒の直径は、
前記通電孔の直径の１／２よりも小さく、
前記通電孔が、同一線上に互いに隙間を空けて配置されていたことを特徴とする砥粒付ワイヤ工具。
【請求項５】
前記絶縁層が撤去されていることを特徴とする請求項４記載の砥粒付ワイヤ工具。
【請求項６】
前記砥粒の表面と、前記通電孔めっきの表面と、前記砥粒の表面および前記通電孔めっきの表面を除く前記ワイヤの下地めっきの表面とが、表面全体めっきによって覆われていることを特徴とする請求項５記載の砥粒付ワイヤ工具。
【請求項７】
前記表面全体めっきは、微細砥粒、酸化セリウム微細粒子および微細ジルコンサンドの中から１種あるいは複数種が混合された複合めっきであることを特徴とする請求項３または６記載の砥粒付ワイヤ工具。
【請求項８】
前記隙間が、互いに隣接する何れかの一対の前記通電孔同士においても同一であることを特徴とする請求項１乃至７の何れか一項に記載の砥粒付ワイヤ工具。
【請求項９】
前記通電孔が円形であって、前記通電孔同士の隙間が、前記円形の半径の１／３よりも大きいことを特徴とする請求項１乃至８の何れか一項に記載の砥粒付ワイヤ工具。
【請求項１０】
前記通電孔が、前記ワイヤの外周表面に１条または複数条の螺旋曲線の上に配置されていることを特徴とする請求項１乃至９の何れか一項に記載の砥粒付ワイヤ工具。
【請求項１１】
前記通電孔が、前記ワイヤの長手方向に平行な直線上であって、前記ワイヤの円周方向で等角配置されていることを特徴とする請求項１乃至１０の何れか一項に記載の砥粒付ワイヤ工具。
【請求項１２】
前記砥粒の外周表面は、前記通電孔に固定される前に、予め表面を通電できる材質によって処理されていることを特徴とする請求項１乃至１１の何れか一項に記載の砥粒付ワイヤ工具。
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
ファブリックにより形成され、ガスによって膨張可能なクッションバッグと；
前記クッションバッグ内部に配置され、膨張ガスを発生するインフレータと；
前記クッションバッグ内部において前記インフレータを囲むように設けられ、前記膨張ガスを整流するディフレクタと、を備え、
広げた状態で前記ディフレクタからはみ出た前記クッションバッグの部分を、前記ディフレクタの内側に入れ込んで収容可能に構成したことを特徴とするエアバッグ装置。
【請求項２】
前記ディフレクタは、当該エアバッグ装置のハウジングの機能を兼ね備えることを特徴とする請求項１に記載のエアバッグ装置。
【請求項３】
前記ディフレクタは、前記クッションバッグよりも硬質な材質で成形されることを特徴とする請求項１又は２に記載のエアバッグ装置。
【請求項４】
前記ディフレクタは、樹脂又は金属から成形されることを特徴とする請求項３に記載のエアバッグ装置。
【請求項５】
前記ディフレクタは、断面Ｕ字状に形成され、少なくとも２枚の平板で挟まれた空間領域に前記クッションバッグを収容することを特徴とする請求項１乃至４の何れか一項に記載のエアバッグ装置。
【請求項６】
前記ディフレクタは、前記クッションバッグの展開方向側に開放部が形成され、当該開放部から前記クッションバッグを挿入して収容することを特徴とする請求項１乃至５の何れか一項に記載のエアバッグ装置。
【請求項７】
前記インフレータは、前記エアバッグの主展開方向と反対側の端部付近に配置されることを特徴とする請求項６に記載のエアバッグ装置。
【請求項８】
収容状態の前記クッションバッグにおいて、前記インフレータの吹き出し口付近に耐熱布が設けられていることを特徴とする請求項１乃至７の何れか一項に記載のエアバッグ装置。
【請求項９】
当該エアバッグ装置は、座席に内蔵されるサイドエアバッグであることを特徴とする請求項１乃至８の何れか一項に記載のエアバッグ装置。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
可変表示を行い表示結果を導出する可変表示手段に特定表示結果が導出されたことを条件に、遊技者にとって有利な特定状態に制御する遊技機であって、
前記特定表示結果が導出された後に、特定領域に遊技媒体が進入したことに基づいて前記特定状態に制御する遊技状態制御手段と、
所定の有利条件が成立したことに基づいて、当該特定状態の終了後に遊技者にとって有利な有利状態に制御する有利状態制御手段と、
前記特定表示結果が導出された後に、前記特定領域に向けて遊技媒体を打ち出すことを認識可能な報知演出を実行する報知演出実行手段と、を備え、
前記報知演出実行手段は、前記特定状態の終了後に前記有利状態に制御されてから前記特定状態の終了後所定期間内に前記特定表示結果が導出された回数が所定回数を超えたことによって成立する所定条件が成立したことに基づいて、前記報知演出を制限する
ことを特徴とする遊技機。
【手続補正２】
【補正対象書類名】明細書
【補正対象項目名】０００７
【補正方法】変更
【補正の内容】
【０００７】
（１）上記目的を達成するため、本発明の遊技機は、
可変表示を行い表示結果を導出する可変表示手段（例えば第１特別図柄表示器（第１変動表示手段）８ａ、第２特別図柄表示器（第２変動表示手段）８ｂ）に特定表示結果（例えば大当り図柄）が導出されたことを条件に、遊技者にとって有利な特定状態（例えば大当り遊技状態）に制御する遊技機（例えばパチンコ遊技機１）であって、前記特定表示結果が導出された後に、特定領域（例えば第１特定領域６１、第２特定領域６２又は第３特定領域６３）に遊技媒体が進入したことに基づいて前記特定状態に制御する遊技状態制御手段（例えばステップＳ３０５、Ｓ３０６の処理を実行するＣＰＵ５６）と、所定の有利条件が成立したことに基づいて、当該特定状態の終了後に遊技者にとって有利な有利状態（例えば確変状態）に制御する有利状態制御手段（例えばステップＳ１５８の処理を実行するＣＰＵ５６）と、前記特定表示結果が導出された後に、前記特定領域に向けて遊技媒体を打ち出すことを認識可能な報知演出（例えば図２７（Ｇ）、図２８（Ｄ）に示すような演出）を実行する報知演出実行手段（例えばステップＳ７３４Ｂの処理を実行する演出制御用ＣＰＵ１０１）と、を備え、前記報知演出実行手段は、前記特定状態の終了後に前記有利状態に制御されてから前記特定状態の終了後所定期間内に前記特定表示結果が導出された回数（例えば確変連荘回数）が所定回数を超えたことによって成立する所定条件（例えば演出省略条件）が成立したことに基づいて、前記報知演出を制限する（例えば図２８（Ｄ）に示すように報知演出を省略して実行する）ことを特徴とする。
このような構成によれば、好適な演出を実行でき、遊技の興趣が向上する。
【手続補正３】
【補正対象書類名】明細書
【補正対象項目名】００１０
【補正方法】変更
【補正の内容】
【００１０】
（４）上記（１）から（３）のいずれかの遊技機において、
前記条件成立状態においては、前記特定状態中に特別演出（例えば図２８（Ｄ）に示すような特別演出）を実行する特別演出実行手段（例えばステップＳ７３４Ｂの処理を実行する演出制御用ＣＰＵ１０３など）をさらに備えるようにしてもよい。
このような構成によれば、条件成立状態においては報知演出が制限される代わりに特別演出が実行されるので、遊技の興趣が向上する。
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
ゲームが開始可能となる所定の条件成立後において、所定の始動操作に応じて回転を開始する回動リールと、
前記始動操作に基づいてゲームごとの当選役を抽選にて決定する抽選手段と、
回動リールが停止したときの回動リールに表された図柄の組合せに基づいて入賞の有無を判定する入賞判定手段と、を備えるスロットマシンであって、
所定の前記当選役に当選した後の当該当選役に対応する図柄の組合せで回動リールが停止する権利を保有した状態にある権利保有ゲーム中において、当該ゲームの進行を中断するゲーム中断手段と、
前記権利保有ゲーム中において、少なくとも回転中の回動リールの停止が遊技者による所定の操作に基づいて可能となる練習ゲームを実行可能とする練習ゲーム実行手段と、を備え、
前記練習ゲーム実行手段は、
練習ゲーム中において、練習ゲームの終期を定めた終期条件の成立を監視し、前記終期条件の成立により、中断した前記権利保有ゲームを再開する
ことを特徴とするスロットマシン。
【請求項２】
遊技者と前記回動リールとの間であって回動リールと対向する位置に配置されるとともに、前記回動リールの外観及び動作を模した画像リールを表示可能な表示手段を備え、
前記練習ゲーム実行手段は、前記所定の条件成立前において、画像リールの変動を始動させるとともに、少なくとも変動中の画像リールの停止が遊技者による所定の操作に基づいて可能となる練習ゲームを実行可能とする
ことを特徴とする請求項１記載のスロットマシン。
【請求項３】
前記リールを複数備え、
前記練習ゲーム実行手段により始動させる前記リールを選択可能とした
ことを特徴とする請求項１又は２記載スロットマシン。
【請求項４】
前記練習ゲーム実行手段により実行される練習ゲーム中において、停止したときの前記リールに表された図柄の組合せを判定する練習停止図柄判定手段を備え、
前記練習ゲーム実行手段は、
前記練習停止図柄判定手段により前記当選役に対応する図柄の組合せでの停止が判定されたことを終期条件として前記練習ゲームを終了させる
ことを特徴とする請求項１〜３のいずれか一項に記載のスロットマシン。
【請求項５】
前記練習ゲーム実行手段は、
前記権利保有ゲーム中において、前記表示手段を透過状態として回動リールを用いた練習ゲームを実行可能とし、
前記所定の条件成立前において、前記表示手段を非透過状態としながら画像リールを表示させて画像リールを用いた練習ゲームを実行可能とした
ことを特徴とする請求項２記載のスロットマシン。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
ノズルを介して被検眼角膜に流体を吹き付ける流体吹付手段と、被検眼に投光する投光手段と、前記投光手段による角膜の反射光を受光する受光手段をもち，前記流体吹付手段による角膜の変形状態を検出する変形検出手段と、角膜の断面画像を取得する断面取得手段と、を備えた眼科装置において、
前記断面取得手段は前記変形検出手段の検出結果に基づいて角膜の断面画像を取得することを特徴とする眼科装置。
【請求項２】
前記変形検出手段の検出結果は前記受光手段の信号波形に基づくものであり、該信号波形の接線の傾きが，正から負，または負から正へと、該接線の傾きが略逆転する少なくとも１つの地点で、前記断面取得手段による角膜断面画像を取得することを特徴とする請求項１に記載の眼科装置。
【請求項３】
前記断面取得手段によって、前記流体吹付手段によって角膜に流体を吹き付けているときと吹き付けていないときの，少なくとも２つの角膜断面画像を取得することを特徴とする請求項１または請求項２に記載の眼科装置。
【手続補正２】
【補正対象書類名】明細書
【補正対象項目名】０００７
【補正方法】変更
【補正の内容】
【０００７】
上記課題を解決するために、本発明は以下のような構成を備えることを特徴とする。
（１）ノズルを介して被検眼角膜に流体を吹き付ける流体吹付手段と、被検眼に投光する投光手段と、前記投光手段による角膜の反射光を受光する受光手段をもち，前記流体吹付手段による角膜の変形状態を検出する変形検出手段と、角膜の断面画像を取得する断面取得手段と、を備えた眼科装置において、前記断面取得手段は前記変形検出手段の検出結果に基づいて角膜の断面画像を取得することを特徴とする。
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
大動脈及び弁を含む領域における画像データに基づいて前記大動脈の三次元構造を取得する構造特定部と、
前記大動脈の三次元構造に基づいて、前記大動脈の走行方向を軸とする前記大動脈周りのＸ線画像の撮影角度を設定又は提示する撮影条件設定部と、
を備える医用画像処理装置。
【請求項２】
前記弁は大動脈弁であり、
前記撮影条件設定部は、左冠動脈及び右冠動脈の少なくとも一方の前記大動脈からの分岐位置が、前記大動脈の太さ方向における端部となる２次元のＸ線画像の撮影角度を設定又は提示するように構成される請求項１記載の医用画像処理装置。
【請求項３】
前記撮影条件設定部は、前記大動脈の太さが極大値となる２次元のＸ線画像の撮影角度を設定又は提示するように構成される請求項１記載の医用画像処理装置。
【請求項４】
前記撮影条件設定部は、前記大動脈の石灰化部分が前記大動脈の太さ方向における端部となる２次元のＸ線画像の撮影角度を設定又は提示するように構成される請求項１記載の医用画像処理装置。
【請求項５】
前記撮影条件設定部は、更に前記大動脈の走行方向が水平方向、鉛直方向又は手技に対応する所定の方向となるための撮影角度を設定又は提示するように構成される請求項１乃至４のいずれか１項に記載の医用画像処理装置。
【請求項６】
前記撮影条件設定部は、前記大動脈の走行方向が水平方向、鉛直方向又は手技に対応する所定の方向となるための２方向の撮影角度を２次元的に示すグラフ上の曲線を表示装置に表示させるように構成される請求項１乃至４のいずれか１項に記載の医用画像処理装置。
【請求項７】
前記撮影条件設定部は、前記大動脈の太さが複数の極大値を有する場合に前記複数の極大値に対応する複数の撮影角度を候補として提示するように構成される請求項３記載の医用画像処理装置。
【請求項８】
前記撮影条件設定部は、前記大動脈の走行方向の互いに異なる複数の位置における前記大動脈の太さの各極大値に対応する複数の撮影角度を前記候補として提示するように構成される請求項７記載の医用画像処理装置。
【請求項９】
前記撮影条件設定部は、前記大動脈の走行方向の同一の位置における前記大動脈の太さの複数の極大値に対応する複数の撮影角度を前記候補として提示するように構成される請求項７記載の医用画像処理装置。
【請求項１０】
前記撮影条件設定部は、前記大動脈の血管壁に対応する曲線又は曲面の閉曲線近似又は閉曲面近似を伴って前記大動脈の太さが極大値となる前記撮影角度を求めるように構成される請求項３記載の医用画像処理装置。
【請求項１１】
前記撮影条件設定部は、複数の撮影角度が候補として求められた場合に撮影系の移動量が少ない側の撮影角度を候補として提示するように構成される請求項１乃至１０のいずれか１項に記載の医用画像処理装置。
【請求項１２】
前記構造特定部は、前記大動脈及び前記弁を含む前記領域におけるボリュームデータ又は互いに異なる方向から撮影された２次元の複数フレームの画像データに基づいて前記大動脈の前記三次元構造を取得するように構成される請求項１乃至１１のいずれか１項に記載の医用画像処理装置。
【請求項１３】
請求項１乃至１２のいずれか１項に記載の医用画像処理装置と、
前記医用画像処理装置により設定又は提示された前記撮影角度を参照して決定された撮影角度で被検体のＸ線撮影を行う撮影系と、
を備えるＸ線診断装置。
【請求項１４】
コンピュータを、
大動脈及び弁を含む領域における画像データに基づいて前記大動脈の三次元構造を取得する構造特定部、及び
前記大動脈の三次元構造に基づいて、前記大動脈の走行方向を軸とする前記大動脈周りのＸ線画像の撮影角度を設定又は提示する撮影条件設定部、
として機能させる医用画像処理プログラム。
【手続補正２】
【補正対象書類名】明細書
【補正対象項目名】００１０
【補正方法】変更
【補正の内容】
【００１０】
本発明の実施形態に係る医用画像処理装置は、構造特定部と撮影条件設定部とを備える。構造特定部は、大動脈及び弁を含む領域における画像データに基づいて前記大動脈の三次元構造を取得する。撮影条件設定部は、前記大動脈の三次元構造に基づいて、前記大動脈の走行方向を軸とする前記大動脈周りのＸ線画像の撮影角度を設定又は提示する。
また、本発明の実施形態に係るＸ線診断装置は、前記医用画像処理装置と撮影系とを備える。撮影系は、前記医用画像処理装置により設定又は提示された前記撮影角度を参照して決定された撮影角度で被検体のＸ線撮影を行う。
また、本発明の実施形態に係る医用画像処理プログラムは、コンピュータを、構造特定部及び撮影条件設定部として機能させる。構造特定部は、大動脈及び弁を含む領域における画像データに基づいて前記大動脈の三次元構造を取得する。撮影条件設定部は、前記大動脈の三次元構造に基づいて、前記大動脈の走行方向を軸とする前記大動脈周りのＸ線画像の撮影角度を設定又は提示する。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
照明光を被検眼の眼底に投影する照明光学系と、
前記眼底からの反射光を撮像手段に導く撮影光学系と、
前記撮影光学系の光路に設けられ、前記撮像手段を前記眼底に対して合焦させるフォーカスレンズと、
前記光路に対して挿脱可能に設けられた視度補正レンズと、
前記撮像手段からの信号に基づいて、合焦を検出する合焦手段と、
前記視度補正レンズが前記光路へ挿入されているか否かに応じて、前記合焦手段が用いる、前記フォーカスレンズの合焦位置の検出方法を切り替える切替手段と、を備えることを特徴とする眼底撮像装置。
【請求項２】
前記切替手段は、
前記視度補正レンズが前記光路に挿入されていない場合には、スプリット像のズレを評価することで前記合焦位置を算出するスプリット合焦方式を利用し、
前記視度補正レンズが前記光路に挿入されている場合には、前記スプリット像を用いずに前記合焦位置を検出する合焦方式を利用することを特徴とする請求項１に記載の眼底撮像装置。
【請求項３】
前記合焦手段は、スプリット像のズレを評価することで前記合焦位置を算出するスプリット合焦方式と、前記眼底の画像のコントラストを評価することで前記合焦位置を算出するコントラスト合焦方式と、を用いることができ、
前記切替手段は、前記光路に前記視度補正レンズが挿入されているか否かに応じて、前記スプリット合焦方式と前記コントラスト合焦方式の使用、不使用を切り替えることを特徴とする請求項１または２に記載の眼底撮像装置。
【請求項４】
前記切替手段は、前記視度補正レンズが前記光路に挿入されていないときは前記スプリット合焦方式と前記コントラスト合焦方式を用い、前記視度補正レンズが前記光路に挿入されているときは、前記コントラスト合焦方式を用いるように、前記合焦手段が用いる合焦位置の検出方法を切り替えることを特徴とする請求項３に記載の眼底撮像装置。
【請求項５】
前記切替手段は、前記視度補正レンズが前記光路に挿入されていないときは前記スプリット合焦方式を用い、前記視度補正レンズが前記光路に挿入されているときは、前記コントラスト合焦方式を用いるように、前記合焦手段が用いる合焦位置の検出方法を切り替えることを特徴とする請求項３に記載の眼底撮像装置。
【手続補正２】
【補正対象書類名】明細書
【補正対象項目名】０００７
【補正方法】変更
【補正の内容】
【０００７】
上記目的を達成するための本件の一態様による眼底撮像装置は以下の構成を備える。すなわち、
照明光を被検眼の眼底に投影する照明光学系と、
前記眼底からの反射光を撮像手段に導く撮影光学系と、
前記撮影光学系の光路に設けられ、前記撮像手段を前記眼底に対して合焦させるフォーカスレンズと、
前記光路に対して挿脱可能に設けられた視度補正レンズと、
前記撮像手段からの信号に基づいて、合焦を検出する合焦手段と、
前記視度補正レンズが前記光路へ挿入されているか否かに応じて、前記合焦手段が用いる、前記フォーカスレンズの合焦位置の検出方法を切り替える切替手段と、を備える。
【手続補正３】
【補正対象書類名】明細書
【補正対象項目名】発明の名称
【補正方法】変更
【補正の内容】
【発明の名称】眼底撮像装置
【手続補正４】
【補正対象書類名】明細書
【補正対象項目名】０００１
【補正方法】変更
【補正の内容】
【０００１】
本件は眼底撮影装置に関する。
【手続補正書】
【提出日】平成27年9月14日(2015.9.14)
【手続補正１】
【補正対象書類名】明細書
【補正対象項目名】００３７
【補正方法】変更
【補正の内容】
【００３７】
（２）第２の実施の形態
図１との対応部分に同一符号を付した図３に示すように、第２の実施の形態におけるコーティング装置１００は被コーティング材としてのシート５をフィーダーボードＦＢに１枚ずつ供給するシート供給部としての給紙部２と、給紙されたシート５にニス等のコーティングを施すニス処理部１０３と、コーティングの終了したシート５を排出するシート排出部としての排紙部４とによって概ね構成されている。
【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
印刷すべき画像から選択的に特定部位を抽出し、
該抽出された前記特定部位を該特定部位以外の部位よりも熱エネルギー吸収性が高い色の画像に変換し、
該変換された変換画像を、熱膨張性シートの発泡層側表面に印刷し、
該印刷された印刷部位の全領域もしくは特定の画像領域の前記発泡層側表面を、所定色の背景色に印刷し、
前記熱膨張性シートに熱エネルギーを付与して前記変換画像の印刷部位を膨張させて盛上げ、
その後に前記印刷すべき画像を印刷する、
立体画像形成方法。
【請求項２】
印刷すべき画像から選択的に特定部位を抽出し、
該抽出された前記特定部位を該特定部位以外の部位よりも熱エネルギー吸収性が高い色の画像に変換し、
該変換された変換画像の鏡像を、熱膨張性シートの発泡層とは反対側の裏面に印刷し、
該印刷された印刷部位の全領域もしくは特定の画像領域に対応する前記発泡層側表面を、所定色の背景色に印刷し、
前記熱膨張性シートに熱エネルギーを付与して前記変換画像の印刷部位を膨張させて盛上げ、
その後に前記印刷すべき画像を印刷する、
立体画像形成方法。
【請求項３】
前記全領域もしくは特定の画像領域を前記所定色の背景色に印刷される印刷領域は、前記変換画像の印刷部位が膨張される際の膨張抑制膜として機能する、請求項１または２記載の立体画像形成方法。
【請求項４】
前記熱エネルギー吸収性が高い色の画像がベタ黒画像であり、前記所定色が白色である、請求項１乃至３のいずれかに記載の立体画像形成方法。
【請求項５】
前記印刷すべき画像の印刷は、前記盛上げにより盛上げられた部位を含む前記熱膨張性シートの前記発泡層側表面を、前記所定色の背景色に印刷した後に該印刷された面に行われる、請求項１乃至４のいずれかに記載の立体画像形成方法。
【請求項６】
前記印刷すべき画像がカラー画像である、請求項１乃至５のいずれかに記載の立体画像形成方法。
【請求項７】
印刷すべき画像から選択的に特定部位を抽出する画像抽出部と、
該画像抽出部により抽出された前記特定部位を該特定部位以外の部位よりも熱エネルギー吸収性が高い色の画像に変換する画像変換部と、
該画像変換部により変換された変換画像を、熱膨張性シートの発泡層側表面に印刷する変換画像印刷部と、
該変換画像印刷部により前記変換画像を印刷された印刷部位の全領域もしくは特定の画像領域の前記発泡層側表面を、所定色の背景色に印刷する第一背景色印刷部と、
前記熱膨張性シートに熱エネルギーを付与して前記変換画像の印刷部位を膨張させて盛上げるシート面盛上部と、
前記印刷すべき画像を印刷する画像印刷部と、
を有する立体画像形成装置。
【請求項８】
印刷すべき画像から選択的に特定部位を抽出する画像抽出部と、
該画像抽出部により抽出された前記特定部位を該特定部位以外の部位よりも熱エネルギー吸収性が高い色の画像に変換する画像変換部と、
該画像変換部により変換された変換画像の鏡像を、熱膨張性シートの発泡層とは反対側の裏面に印刷する変換画像印刷部と、
該変換画像印刷部により前記変換画像を印刷された印刷部位の全領域もしくは特定の画像領域に対応する前記発泡層側表面を、所定色の背景色に印刷する第一背景色印刷部と、
前記熱膨張性シートに熱エネルギーを付与して前記変換画像の印刷部位を膨張させて盛上げるシート面盛上部と、
前記印刷すべき画像を印刷する画像印刷部と、
を有する立体画像形成装置。
【請求項９】
前記シート面盛上部により盛上げられた部位を含む前記熱膨張性シートの前記発泡層側表面を、前記所定色の背景色に印刷する第二背景色印刷部を更に有し、
前記画像印刷部は、前記第二背景色印刷部により前記所定色に印刷された面に前記印刷すべき画像を印刷する、請求項７または８記載の立体画像形成装置。
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
遠心成形によるコンクリート製品の製造方法であって、型枠に投入されたコンクリート組成物の中速遠心成形工程中であって、当該工程の目標回転速度に到達したとき以降に、炭酸カリウムを含有する水性液体を、遠心成形中のコンクリート内面に投入することを特徴とする、コンクリート製品の製造方法。
【請求項２】
炭酸カリウムを含有する水性液体の投入を、中速遠心成形工程中であって、中速遠心成形工程の目標回転速度に到達したときと中速遠心成形工程終了時との中間の時点以降に行う、請求項１に記載のコンクリート製品の製造方法。
【請求項３】
炭酸カリウムの投入量が、投入されたコンクリート組成物によって成形される管の内表面の面積当たりの量で表して５乃至１，０００ｇ／ｍ２である、請求項１又は２に記載のコンクリート製品の製造方法。
【請求項４】
炭酸カリウムを含有する水性液体が、さらに、凝集促進剤を含有する、請求項１乃至３のいずれか一項に記載のコンクリート製品の製造方法。
【請求項５】
炭酸カリウムを含有する水性液体の投入の前もしくは後、又は当該水性液体の投入と同時に、凝集促進剤を含有する水性液体を投入する、請求項１乃至３のいずれか一項に記載のコンクリート製品の製造方法。
【請求項６】
凝集促進剤の投入量が、投入されたコンクリート組成物によって成形される管の内表面の面積当たりの量で表して０．１乃至２０ｇ／ｍ２である、請求項４又は５に記載のコンクリート製品の製造方法。
【請求項７】
コンクリート製品の製造に使用するコンクリート組成物がスルホコハク酸（エステル）塩を含有しない、請求項１乃至６のいずれか一項に記載のコンクリート製品の製造方法。
【請求項８】
投入されたコンクリート組成物が硬化促進剤及び／又は凝集促進剤を含有しない、請求項１乃至７のいずれか一項に記載のコンクリート製品の製造方法。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
駆動波形信号を発生する駆動波形信号発生回路と、
前記駆動波形信号をパルス変調して変調信号を生成する変調回路と、
第１配線層及び第２配線層を有する多層配線基板と、前記多層配線基板の前記第１配線層側に実装される第１トランジスター、第２トランジスター及びコンデンサーと、を含み、前記変調信号を、前記第１トランジスターのゲート電極及び前記第２トランジスターのゲート電極で受け付け、前記変調信号を電力増幅した信号である電力増幅変調信号を生成するスイッチング回路と、
前記電力増幅変調信号を平滑化することによって駆動信号を生成する平滑フィルターと、
を含み、
前記多層配線基板は、
前記第１配線層に形成された第１配線、第２配線、第３配線及び第４配線と、
前記第２配線層に形成された第５配線と、
前記第１配線と前記第５配線とを電気的に接続する第１ビア導体と、
前記第４配線と前記第５配線とを電気的に接続する第２ビア導体と、
を有し、
前記第１トランジスターのドレイン電極は、前記第１配線と電気的に接続され、
前記第１トランジスターのソース電極は、前記第２配線と電気的に接続され、
前記第２トランジスターのドレイン電極は、前記第２配線と電気的に接続され、
前記第２トランジスターのソース電極は、前記第３配線と電気的に接続され、
前記コンデンサーの第１電極は、前記第４配線と電気的に接続され、
前記コンデンサーの第２電極は、前記第３配線と電気的に接続されている、容量性負荷駆動回路。
【請求項２】
請求項１に記載の容量性負荷駆動回路において、
前記多層配線基板を平面視した場合に、前記第１トランジスターの少なくとも一部、前記第２トランジスターの少なくとも一部及び前記コンデンサーの少なくとも一部は、同一直線上に配置されている、容量性負荷駆動回路。
【請求項３】
請求項１又は２に記載の容量性負荷駆動回路において、
前記第２配線と前記第５配線は、前記多層配線基板を平面視した場合に、少なくとも一部が重なりあう位置に形成されている、容量性負荷駆動回路。
【請求項４】
請求項１ないし３のいずれか１項に記載の容量性負荷駆動回路において、
前記多層配線基板は、
前記第１配線層以外の配線層に形成された第６配線と、
前記第２配線と前記第６配線とを電気的に接続する第３ビア導体と、
をさらに有する、容量性負荷駆動回路。
【請求項５】
請求項１ないし４のいずれか１項に記載の容量性負荷駆動回路において、
前記多層配線基板は、
前記第１配線層に形成された第７配線と、
前記第２配線層に形成された第８配線と、
前記第２配線と前記第８配線とを電気的に接続する第４ビア導体と、
をさらに有し、
前記第１トランジスターのゲート電極は、前記第７配線と電気的に接続され、
前記第７配線と前記第８配線は、前記多層配線基板を平面視した場合に、少なくとも一部が重なりあう位置に形成されている、容量性負荷駆動回路。
【請求項６】
請求項１ないし５のいずれか１項に記載の容量性負荷駆動回路において、
前記多層配線基板は、
前記第１配線層に形成された第９配線と、
前記第２配線層に形成された第１０配線と、
前記第３配線と前記第１０配線とを電気的に接続する第５ビア導体と、
をさらに有し、
前記第２トランジスターのゲート電極は、前記第９配線と電気的に接続され、
前記第９配線と前記第１０配線は、前記多層配線基板を平面視した場合に、少なくとも一部が重なりあう位置に形成されている、容量性負荷駆動回路。
【請求項７】
請求項１ないし６のいずれか１項に記載の容量性負荷駆動回路と、
前記容量性負荷駆動回路によって生成された前記駆動信号が印加されるピエゾ素子と、を含む、液体噴射装置。
【手続補正２】
【補正対象書類名】明細書
【補正対象項目名】発明の名称
【補正方法】変更
【補正の内容】
【発明の名称】容量性負荷駆動回路及び液体噴射装置